(57)【特許請求の範囲】
【請求項１】
移動無線システムとして構成された無線通信システムにて無線インターフェースを介してデータを伝送する方法であって、
少なくとも１つの通信接続チャネル（Ｖ１，Ｖ２，Ｖ３）のデータ（ｄ）を、時間フレーム（ｔｆ）内で編成組織付けのなされた時分割多重方式に従って、無線ブロック（ｆｂ）にてダウンリンク方向で或１つのベースステーション（ＢＳ）から少なくとも１つの無線ステーション（ＭＳ）へ送信するようにして無線通信システムにて無線インターフェースを介してデータを伝送する方法において、
１つの時間フレーム（ｔｆ）内で周期的にトレーニングシーケンス（ｔｓｅｑ）が送信され、そして、それぞれのトレーニングシーケンス（ｔｓｅｑ）の後、通信接続チャネル（Ｖ１，Ｖ２，Ｖ３）のうちの少なくとも１つの当該のチャネルの無線ブロック（ｆｂ）が送信され、ここでトレーニングシーケンス（ｔｓｅｑ）が無線ブロック（ｆｂ）に対して平均的送信出力に比して一層より高い一定の送信出力で送信されるようにし、トレーニングシーケンス（ｔｓｅｑ）の長さを、それぞれ通常の多重伝搬に設計されたトレーニングシーケンス（ｔｓｅｑ）に比して、短縮し、そして、空き状態になった伝送容量を付加的に誤りエラー防止のため使用することを特徴とする無線通信システムにて無線インターフェースを介してデータを伝送する方法。
【請求項２】
無線ステーション（ＭＳ）は、少なくとも２つのトレーニングシーケンス（ｔｓｅｑ）からチャネル推定の補間及び／又は外挿を実施するようにしたことを特徴とする請求項１記載の方法。
【請求項３】
無線ステーション（ＭＳ）への第１の通信接続チャネルのデータ及び更なる無線ステーションへの更なる通信接続チャネル（Ｖ２...）のデータが１つの無線ブロック（ｆｂ）内にてまとめられるようにしたことを特徴とする請求項１又は２項記載の方法。
【請求項４】
１つの無線ブロック（ｆｂ）内でのそれぞれ第１通信接続チャネル（Ｖ１）及び更なる通信接続チャネル（Ｖ２...）のデータ（ｄ）の数を所要の伝送容量に依存して変化させることを特徴とする請求項３記載の方法。
【請求項５】
第１の通信接続チャネル（Ｖ１）の期間中伝送ポーズのとき、１つのブロック（ｆｂ）における使用されていない伝送容量が、ダイナミックに１つ、又は複数の更なる通信接続チャネル（Ｖ２…）によりデータ（ｄ）の伝送のため利用されるようにしたことを特徴とする請求項３又は４記載の方法。
【請求項６】
トレーニングシーケンス（ｔｓｅｑ）の長さを、それぞれ通常の多重伝搬に設計されたトレーニングシーケンス（ｔｓｅｑ）に比して、短縮し、そして、空き状態になった伝送容量を付加的にデータ（ｄ）の伝送のために使用することを特徴とする請求項１から５までのうちいずれか１項記載の方法。
【請求項７】
トレーニングシーケンス（ｔｓｅｑ）を無線インターフェースのすべての周波数チャネルにて同時に送信することを特徴とする請求項１から６までのうちいずれか１項記載の方法。
【請求項８】
第１通信接続チャネル（Ｖ１）のデータ（ｄ）がそれぞれ、種々のデータセクションに対して少なくとも１つのコードを付与されるようにしたことを特徴とする請求項１から７までのうちいずれか１項記載の方法。
【請求項９】
移動無線システムとして構成された無線通信システムにて無線インターフェースを介してデータを伝送するためのベースステーション（ＢＳ）であって、ここで、少なくとも１つの通信接続チャネル（Ｖ１，Ｖ２，Ｖ３）のデータ（ｄ）は、時間フレーム（ｔｆ）にて編成組織付けられた時分割多重方式に従って無線ブロック（ｆｂ）にてダウンリンク方向で少なくとも１つの無線ステーション（ＭＳ）へ送信されるように構成されている当該のベースステーションにおいて、
トレーニングシーケンス（ｔｓｅｑ）をそれぞれの時間フレーム（ｔｆ）内に、周期的に挿入するための手段（ＩＭ）を有し、ここで、トレーニングシーケンス（ｔｓｅｑ）は、無線ブロック（ｆｂ）に対して平均的送信出力に比して一層より高い一定の送信出力を以て送信されるものであり、
通信接続チャネル（Ｖ１，Ｖ２，Ｖ３）のうちの少なくとも１つの当該のチャネルの無線ブロック（ｆｂ）をそれぞれトレーニングシーケンス（ｔｓｅｑ）の後送信するための送信装置（ＳＫ）を有していることを特徴とするベースステーション。
【発明の詳細な説明】
【０００１】
本発明は、無線通信システム、例えば、移動無線システムにおける無線インターフェースを介するデータの伝送方法及び装置に関する。
【０００２】
無線通信システムでは、情報メッセージ（例えば音声、画像情報又は他のデータ）が、電磁波を用いて伝送される。ここで、電磁波の放射は、搬送周波数を以て行われ、この搬送周波数は、それぞれのシステムに対して設けられた周波数帯域内に位置する。ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）の場合、搬送周波数は、９００ＭＨｚの領域内にある。将来の無線通信システム、例えば、ＵＭＴＳ  （Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又は第３世代の他のシステムに対して、ほぼ２ＧＨｚの周波数帯域が設定されている。
【０００３】
放射された電磁波では、地球の湾曲等に基因する反射、回折、放射に基づき減衰される。その結果、受信無線ステーションにて利用可能な受信出力が低下する。当該の減衰は、位置場所に依存し、移動するステーションの場合時間にも依存する。
【０００４】
送信無線ステーションと受信無線ステーションとの間に無線インターフェースが設けられ、該無線インターフェースを介して、電磁波を用いてデータ伝送が行われる。加入者選別分離は、時分割多重方式、所謂ＴＤＭＡ方式（Ｔｉｍｅ  Ｄｉｖｉｓｉｏｎ  Ｍｕｌｔｉｐｌｅ  Ａｃｃｅｓｓ）に従って行われ、この時分割多重方式所謂ＴＤＭＡ方式は、周波数分割多重ＦＤＭＡ（Ｆｒｅｑｕｅｎｃｙ  Ｄｉｖｉｓｉｏｎ  Ｍｕｌｔｉｐｌｅ  Ａｃｃｅｓｓ）−方式、との組合せにて使用される。
【０００５】
ＧＳＭ移動無線システム、例えば、下記刊行物; Ｊ．  Ｂｉａｌａ，  “Ｍｏｂｉｌｆｕｎｋ  ｕｎｄ  Ｉｎｔｅｌｌｉｇｅｎｔｅ  Ｎｅｔｚｅ”，Ｖｉｅｗｅｇ  Ｖｅｒｌａｇ，  １９９５，  殊に、第８０及び２６９頁,並びに  Ｐ．  Ｓｍｏｌｋａ“ＧＳＭ−Ｆｕｎｋｓｃｈｎｉｔｔｓｔｅｌｌｅ−Ｅｌｅｍｅｍｔ  ｕｎｄ  Ｆｕｎｋｔｉｏｎｅｎ”，  Ｔｅｌｅｋｏｍ  Ｐｒａｘｉｓ，Ｎｏ・４／９３，第１７〜２４頁，殊に図４及び５，から公知のＧＳＭ移動無線システムでは１つのＴＤＭＡフレームが８つのタイムスロットに細分化されている。通信接続チャネルのデータないしシグナリンク情報は、無線ブロック所謂バーストとしてとしてとタイムスロット内で伝送され、ここで、１つの無線ブロック内で既知のシンボルを有するミッドアンブルが伝送される。前記のミッドアンブルは、無線ステーションの受信側での同調チューニングのためトレーニングシーケンスとして利用され得る。受信無線ステーションは、ミッドアンブルに基づき、チャネルパルス応答の推定を行う。移動無線チャネルの伝送品質が位置場所及び周波数に依存するので、受信無線ステーションは、当該のトレーニングシーケンスを用いて受信信号の等化を行い得る。
【０００６】
ＧＳＭ移動無線システムに対してＴＤＭＡ選別分離方式は、比較的低いデータレートでの情報の伝送に対して開発され、選定されている。さらに、当該システムは、１つの加入者へのデータレートの割当の際のフレキシビリティが著しく制限されている。
【０００７】
将来の無線通信システム及び殊に第３世代の移動無線システムでは高いデータレート、及び通信接続チャネルへの伝送容量の個別的、フレキシブルな割当が望ましい。さらに、種々のサービスの混合及びデータレートの混合のため、さらに、トラヒック発生状況及びデータレートの非対称性、例えばダウンリンク及びアップリンク伝送区間に対するインターネットアプリケーションの場合におけるようなもののためにも支援がなされるべきである。
【０００８】
ＷＯ９７０８８６１からは、種々の伝送媒体を介してのデジタルデータの双方向伝送のための装置及び方法が公知である。ここで、複数のソースからのデータが、タイムスロットへの時分割多重処理及び直交コードを用いてのコーディング処理を受ける。コーディングされたデータは、フレームにて中央とリモートユニット間で伝送され、ここでフレームはデータのない伝送間隙ギャップを用いて同期化される。
ＥＰ０７６７５５７Ａ１から公知の時間フレーム及びタイムスロット構造は、前述のＧＳＭ移動無線システムにて使用されているような公知のＴＤＭＡ加入者選別分離方式に立脚する。ここで、１つのトレーニングシーケンスは、１つのタイムスロット内に埋め込まれ、それぞれ２つのデータブロックにより包囲される。
本発明の基礎を成す課題とするところは、ダウンリンク方向でデータ伝送のためフレキシブル及びダイナミックに構成コンフィギュレーション可能な時分割多重構造に対する方法及び相応の装置を提供することにある。
【０００９】
前記の課題は、方法発明に関しては請求項１の構成要件により、そして、装置発明に関しては請求項１３の構成要件により解決される。本発明の有利な発展形態がサブクレームに記載されている。
【００１０】
本発明は、無線通信システムにて無線インターフェースを介してデータを伝送する方法及び装置に関する。ここで、或１つのベースステーションは、データを時分割多重方式に従って無線ブロックにてダウンリンク方向で或１つのベースステーションから或１つの無線ステーションへ送信する。１つの時間フレーム内で、周期的にトレーニングシーケンスが送信され、そして、それぞれのトレーニングシーケンスの後ごとに通信接続チャネルのうちの少なくとも１つの当該のチャネルの無線ブロックが送信される。ここで、トレーニングシーケンスは、無線ブロックに対して平均的送信出力に比して一層より高い、一定の送信出力を以て送信される。
【００１１】
本発明の方法の利点とするところは送信機の投入オン、遮断オフに対して、そして、伝送チャネルの動作終了、消滅過程に対しての時間が省かれ、それにより、データの伝送のため、利用される時間的成分を高め得る。更なる利点として当該の方法が達成可能にすることは無線伝送区間上で伝送特性の変化が、連続的に無線ステーションにより調整セッティングされ得、無線ステーションは受信信号の等化を実施でき、それにより、例えば、移動無線システムの移動ステーションとして構成された無線ステーションの比較的高い速度のもとでもデータの伝送が可能にされることである。
【００１２】
本発明の第１の実施形態によれば、無線ステーションは、少なくとも２つのトレーニングシーケンスからチャネル推定の補間及び／又は外挿（Interpolation /Extrapolation）を実施するようにしたのである。補間及び／又は外挿は、伝送の際無線インターフェース上で生じるマルチパス遅延のすべての時間的に分解可能なコンポーネントに対して行われる。当該の構成の利点とするところは、伝送特性の時間的変化を無線ステーションに対して定められたデータを有する無線ブロックを介して追従でき、ここで、受信無線ステーションから外挿により限定された予測をも亦伝送区間上での将来的な今後の伝送特性について行い得る。２つ又はそれより多くの直線的な補間及び／又は外挿が可能であり、これに対して、タイムスロットごとの３つのトレーニングシーケンスの場合、２乗補間及び／又は外挿（quadratische Interpolation /Extrapolation）を実施し得る。
【００１３】
受信信号の等化の有利な追従制御を無線ステーションにより永続的に行うこともでき、ここで当該の無線ステーションは当該のチャネル推定をベースステーションから送信されたすべてのトレーニングシーケンスに基づいて実施し、そして、補間及び／又は外挿により無線区間上で変化する伝送特性を検出する。
【００１４】
本発明の第２の実施形態によれば、トレーニングシーケンスは、送信ベースステーションの側でデータに対して平均送信出力に比して一層より大の一定の送信出力を用いて送信されるようにしたのである。当該の構成により、無線ステーションは、伝送特性について精確なチャネル推定を、更なる無線ステーション−それのデータが、同じ無線ブロック又は更なる無線ブロックにてトレーニングシーケンス間で伝送される−に対して所在場所及び出力制御に無関係に実施し得る。さらに、比較的大きな送信出力により、無線ステーションにてトレーニングシーケンスの受信の際の平均的Ｓ／Ｎ比の改善が可能である。
【００１５】
本発明の更なる実施形態によれば、無線ステーションへの第１の通信接続チャネルのデータ及び更なる無線ステーションへのデータが１つの無線ブロック内にてまとめられるようにしたのである。当該の構成により、１つの無線ブロック−これは、２つのトレーニングシーケンス間の１つのインターバルにて伝送される−への各１つの通信接続チャネルの固定的割当に比して、個々の通信接続チャネルへの、伝送区間上での伝送容量のフレキシブルな割当を可能にする。
【００１６】
さらに、当該の実施形態の発展形態によれば、１つの無線ブロック内での第１通信接続チャネル及び更なる通信接続チャネルのデータの数を所要の伝送容量に依存して変化させるのである。これにより、個々の通信接続チャネルへのデータレートの割当のフレキシブル化及びダイナミック化が可能になり、それにより例えば種々のデータレートを以ての種々のサービスの混合作動、又はパケット指向及び接続路チャネル指向のサービスの混合作動も可能になる。
【００１７】
付加的に、通信接続チャネルへの伝送容量の割り当てのフレキシブルなダイナミックな割当のもとで、第１の通信接続チャネルの期間中伝送ポーズのとき、１つのブロックにおける使用されていない伝送容量が、ダイナミックに１つ、又は複数の更なる通信接続チャネルによりデータの伝送のため利用されるようにしたのであり、それにより、無線区間上で効率的伝送容量がさらに有利に高められる。
【００１８】
伝送容量又はエラー防止作用の更なる向上を本発明の更なる実施形態によれば、通常のマルチパル伝搬に設計されたトレーニングシーケンスに比してのトレーニングシーケンスの短縮によっても達成できる。このことは、例えば無線セルの大きさに依存して、又は、無線区間上でたんにわずかな障害物の場合のみ実施され得、それにより、Ｄｅｌａｙ−Ｓｐｒｅａｄ、即ち最大可能な遅延時間−これを以てマルチパス伝搬の際のデータが受信無線ステーションにより受信され得る−が、明らかに低減される。空き状態になった伝送容量を付加的にデータの伝送のため、又は誤りエラー防止のため使用することができるのである。
【００１９】
本発明の更なる実施形態によれば、第１通信接続チャネルのデータがそれぞれ、種々のデータセクションに対して少なくとも１つのコードを付与されるようにしたのである。コードとして、データのコーディングのためウオルシュ（Walsh）−コードを使用するのである。前記ウオルシュコードは、コード化された信号の簡単な処理及びそれの直交性に基づき著しく好適である。
【００２０】
コード列は通信接続チャネルのデータの振幅及び位相で励振され、それにより、それぞれ種々の通信接続チャネルに割当られた複数のコード列を伝送できる。それに引き続いてそれぞれの離散的な時間値の和が、伝送すべき基本パルスの変調のため使用される。受信側では個々の受信された基本パルスが求められ、直交コード列がコード変換により再び分離される。分離されたデータ基本パルスとして情報の離散的伝送に比してのコード化の利点とするところは、ノイズの平均化がコード列の長さに亘って行われ得ることである。データの変調のため公知の変調形式、例えばＢＰＳＫ，ＱＰＳＫ等を使用できる。
【００２１】
本発明の更なる発展形態によれば、ベースステーションから基本パルスが所定の基本パルス列ブロックを以て送信せしめられ、該基本パルスは、無線ステーションにより、非連続的なトランスバーサルフィルタを用いて受信され、評価されるようにしたのである。不連続のトランスバーサルフィルタの使用により、１つ又は複数の障害的なベースステーションの基本パルス無線ステーションの周囲にて除去できる。このことは、セルラ環境周囲において無線ステーションの場所におけるＳ／Ｎ比の著しい改善を可能にする。
【００２２】
不連続のトランスバーサルフィルタは、受信装置のコスト上有利な実現を可能にする。トランスバーサルフィルタリングの際使用されるコスト及び選定仕様に依存して方法プロセスにより、これまで、たんに近似的に考慮された伝送にひずみが遙かに一層良好に補償される。
【００２３】
伝送のため、基本的に任意の基本パルス、例えば、ガラス状の、または時間的に限定されたｓｉｎ（ｘ）／ｘ状の基本パルスないし帯域幅を増大させる基本パルスを使用でき、当該の基本パルスは最も簡単な場合、簡単な基本パルスの列から構成される。
【００２４】
本発明の実施例を添附の図に即して詳述する。各図は次のことを示す。
【００２５】
図１は無線通信システム、例えば移動無線システムのブロック接続図である。
【００２６】
図２は、受信経路に対するその中にて実現されたコンポーネントを有する１つの無線ステーションのブロック接続図である。
【００２７】
図３は、不連続トランスバーサルフィルタのブロック接続図である。
【００２８】
図４は、時分割多重方式の構造の概略図である。
【００２９】
図５は、時分割多重方式の本発明によるフレーム構造の概略図である。
【００３０】
図６は、本発明のフレーム構造の概略図である。
【００３１】
図７は、本発明のフレーム構造の概略図である。
【００３２】
図１に示す無線通信システムは、それの構造の点で、公知のＧＳＭ移動無線システムネットワークに相応し、この公知のＧＳＭ移動無線システムネットワークは、多数の移動交換機ＭＳＣからなり、それらの多数の移動交換機ＭＳＣは相互に網目化されており、もしくは、固定ネットワークＰＳＴＮへのアクセスを形成する。さらに、それ等の多数の移動交換機ＭＳＣは、それぞれ少なくとも１つのベースステーション−制御部ＢＳＣに接続されている。各ベースステーション−制御部ＢＳＣは、同じく少なくとも１つのベースステーションＢＳへの接続路チャネルを形成する。当該のベースステーションＢＳは、固定ステーションであり、この固定ステーションは、無線インターフェースを介して無線ステーションＭＳへの通信接続チャネルを形成し得る。当該の構造の機能性は本発明による無線通信システムにより利用される。
【００３３】
図１には移動無線ステーションＭＳとベースステーションＢＳとの間での有効データ及びシグナリンク情報の伝送のための第１通信接続チャネルＶ１を例示する。ベースステーションＢＳは、アンテナ装置ＡＥに接続されており、このアンテナ装置ＡＥは、例えば３つの放射器から成る。個別放射器の各々は、指向性を以て、ベースステーションＢＳからの給電を受ける無線セルの１つのセクタ内へ放射する。但し、代替選択的にもっと多くの数の個別放射器を（アダプティブアンテナにより）使用することもでき、それによりＳＤＭＡ方式（Ｓｐａｃｅ  Ｄｉｖｉｓｏｎ  Ｍｕｌｔｉｐｌｅ  Ａｃｃｅｓｓ）に従っての空間的な加入者選別分離を使用することもできる。
【００３４】
ベースステーションＢＳでは、無線ステーションＭＳへデータｄを送信するための送信装置ＳＥ及びデータｄを有する無線ブロックｆｂ−間に巡回再帰するトレーニングシーケンスｔｓｅｑを挿入するための手段ＩＭが実現されている。これに対し、無線ステーションＭＳでは受信装置ＥＥが実現されており、この受信装置はトレーニングシーケンスｔｓｅｑに依拠してチャネル推定を実施する。
【００３５】
無線ステーションＭＳの構成例が図２に示してあり、ここで、受信経路に関連の或受信装置ＥＥの中のコンポーネントが示してある。通常送信受信双方の側で、、ないし双方向的トラヒック通信関係が使用されている、換言すれば、ベースステーションＢＳ及び無線ステーションＭＳがいわばそれぞれ受信装置ＥＥ及びデータｄの送信のための送信装置ＳＥを有する。
【００３６】
アンテナ装置ＡＥを介しては、受信信号ｒｘ−該受信信号は、マルチパス伝搬、ノイズ及び遅延により悪影響を受けて到来する−が受信され、受信装置ＥＥに供給される。受信装置ＥＥにて、例えばベースバンドでの伝送及び引き続いてのＡ／Ｄ変換によりデジタル信号が生ぜしめられ、デジタル信号は、チャネル推定器ＫＳに供給される。チャネル推定器ＫＳは検出器ＫＳに接続されており、該検出器ＫＳにデジタル信号ｒｘから導出されたアンテナデータｚ及びチャネル推定器ＫＳにて求められたチャネル係数を供給する。検出器−これは例えばビタビ（Ｖｔｅｒｂｉ）検出器として構成されている−は、チャネル係数ｈを用いてアンテナデータｚのデータ検出及び等化を行い、シンボルｓを生じさせ、このシンボルｓは受信装置ＥＥの更なる装置部（図示せず）に供給される。次いでそれ等の更なる装置部では、デコーディング及び場合により、更なる処理過程が実行される。シンボルＳは、送信側の再構成された信号を表す。
【００３７】
制御装置ＳＴは、チャネル推定器ＫＳに接続されており、チャネル推定の際生ぜしめられた相関値Ｋを評価し、該相関値は、チャネル係数ｈを求めるための基礎を成す。当該の評価に依存して、チャネル推定は、次のように制御される、即ち、検出器ＤＴにより求められた値が、追従ユニットＮＥを介して選択的にチャネル推定に関与せしめられるように制御される。
【００３８】
ベースステーションＢＳにおける送信装置ＳＥは、変調された基本パルスを伝送チャネルを介して受信器装置ＥＥへ伝送し、この受信器は、システム基本パルス応答を求め、信号処理部において変調の中に含まれているデータｄを検出する。送信装置は、コーダ、基本パルス発生器、伝送媒体への結合部から成る。送信装置ＳＥは、所定の基本パルス列クロックを以て基本パルスを生じさせ、これらの基本パルスは、出力アンプを介してアンテナユニットＡＥへ伝送される。コーダ中で、伝送すべきデータｄに依存して、どの基本パルスが、利用可能な基本パルスの貯蔵体の中から選択され、どの変調ファクタで当該の基本パルスが変更修整されるかが選ばれる。
【００３９】
種々の伝送方式は基本パルスの貯蔵の点で相異する。ここで１つ又は複数の基本パルスを使用し得る。それ等の基本パルスは、それの時間的拡がりの点で任意であってよく、基本パルス列クロックの持続時間に固定されていない。
【００４０】
受信器中で、次の信号処理が行われる。増幅、周波数変換、アナログフィルタリング、Ａ／Ｄ変換及びデジタル−フィルタリングである。デジタルフィルタリング部の出力側に、基本パルス列クロックのクロックタイミングでのシステム基本パルス応答の列が生じる。当該の重畳されたシーケンスパルス応答の列が信号処理部及び検出部に供給される。
【００４１】
受信側信号処理部にて行われるのは、システム基本パルス応答、測定シーケンスの評価の際の少なくとも１つのトランスバーサルフィルタに対するフィルタ係数の決定、シングル段、又は多段のトランスバーサルフィルタにおけるサンプリング値のデータ担持部分の検出及びトランスバーサルフィルタの出力の結果のデコーディングである。
【００４２】
図３の不連続トランスバーサルフィルタは、データ担持部分のサンプリング値の処理を行う。トランスバーサルフィルタは、不連続的に作動される、それというのは、システム基本パルス応答のサンプリングが、基本パルス列クロックより高いクロックで行われるからである。フィルタ演算操作後、システム基本パルス応答のオーバーサンプリングに相応してシステム基本パルス応答の数だけのシフトレジスタの引き続いてのクロック制御が行われる、その結果１つの基本パルス列クロックだけのサンプリング値のずれが生ぜしめられる。シフトレジスタ内に記憶された個々の値は所定のフィルタ係数で重み付けられ、加算される。加算の結果は、それを以て送信側で基本パルスが加えられる複素変調ファクタの列である。不連続に動作するトランスバーサルフィルタの出力側における結果は、それを以て、送信器にて順次連続する基本パルスが加えられた変調ファクタの列である。送信側におけるコーディングに相応して、受信側にて当該の値のデコーディングを行うべきである。このことは例えば、ＢＰＳＫ，ＱＰＳＫ，ＧＭＳＫ等により行われ、それの意味、重みは、基本パルスの選択に結合されてもよい。
【００４３】
無線インターフェースの構造例が図４に示されている。時分割多重方式に従って、各１つの周波数領域が、複数の無線ブロックに分けられており、ここで各無線ブロックｆｂは、周波数領域Ｂ内で、１つの周波数チャネルを形成する。データ伝送のため設けられた周波数チャネル内で、複数の接続路チャネルの情報が複数の無線ブロック内で伝送される。ＦＤＭＡ（Ｆｒｅｑｕｅｎｃｙ  Ｄｉｖｉｓｉｏｎ  Ｍｕｌｔｉｐｌｅ  Ａｃｃｅｓｓ）−コンポーネントにより、無線通信システムに更なる複数の周波数領域Ｂが割当てられている。
【００４４】
図５に示すように周波数領域Ｂ内で順次連続する無線ブロックｆｂをフレーム構造に従って分け得る。而して、例えば、８つの無線ブロックｆｂ１〜ｆｂ８は、１つの時間フレームｔｆにまとめられ、ここで時間フレームｔｆの１つの所定の無線ブロックｆｂがデータ伝送のための１つの周波数チャネルを形成し、巡回再帰的に、又は複数の通信接続チャネルにより利用され得る。更なる周波数チャネル、例えば無線ステーションＭＳの周波数又は時間同期化のためのチャネルが各時間フレームｔｆ内にてではなく、時間フレームｔｆに対して上位の１つのマルチフレーム内での所定の時点で導入される。それ等の周波数チャネル間の間隔によっては、無線通信システムによりそのために利用され得る容量が定まる。
【００４５】
図５中時間フレームｔｆ内には、周期的にトレーニングシーケンスｔｓｅｑが配されている。トレーニングシーケンスｔｓｅｑ間に、その中でデータｄの伝送される無線ブロックｆｂ１〜ｆｂ８が配されており、その結果各１つのトレーニングシーケンスｔｓｅｑの後ごとに１つの無線ブロックｆｂ1〜ｆｂ8が後続する。当該の配置構成は、ＴＤＭＡ加入者選別分離方式に従って動作するＧＳＭ移動無線システムの１つの時間フレーム内のトレーニングシーケンスｔｓｅｑの配置構成と対照的であり、前記ＧＳＭ移動無線システムの１つの時間フレームでは、各１つのトレーニングシーケンスｔｓｅｑが１つの無線ブロック中に対称的に配されている。トレーニングシーケンスｔｓｅｑを用いて無線ステーションＭＳは、無線インターフェース上の伝送関係状況を検出し、そして、図２に記載した配置構成を以て、図１に示してある第１通信接続チャネルＶ１にて、第１無線ブロックｆｂ1内で伝送されるデータｄの等化を実施する。
【００４６】
本発明のトレーニングシーケンスｔｓｅｑ及び無線ブロックｆｂ１〜ｆｂ8の配置構成が特に有する既述の利点とするところは、受信無線ステーションＭＳが、簡単に、複数のトレーニングシーケンスｔｓｅｑに対して無線ブロック上での伝送状況の検出のためアクセスし得ることである。複数のトレーニングシーケンスｔｓｅｑに対する当該のアクセスを次のようにして簡単化し得る、即ち、トレーニングシーケンスｔｓｅｑがベースステーションＢＳにより、無線ブロックｆｂ１〜ｆｂ8におけるデータｄより高い送信出力で送信され得るのである。無線インターフェース上での伝送状況のその種の、例えば永続的な“モニタリンク”は、ＧＳＭ移動無線システムでは可能でない、それというのは、無線ブロック内に埋め込まれたトレーニング周波数が無線ブロックｆｂにおけるデータｄと同じ送信出力で送信されるからである。無線ブロックｆｂにおける送信出力の種々の制御−これは、それぞれの無線ステーションＭＳの所在場所に依存して実施される−によっては、無線ステーションＭＳの複数測定−これは、チャネル推定のため他の無線ステーションへの通信接続チャネルに対して無線ブロックｆｂにて複数のトレーニングシーケンスｔｓｅｑを基礎とする−が誤ったものとなる。
【００４７】
図５，６，７には無線ブロックｆｂへの通信接続チャネルの割当の３つの種々のコンフィギュレーション構成手法の例を示す。図５には無線ステーションＭＳ及び複数の更なる無線ステーションＭＳにより導かれる３つの通信接続チャネルＶ１，Ｖ２，Ｖ３が示してある。各通信接続チャネルＶ１，Ｖ２，Ｖ３には１つ又は複数の無線ブロックｆｂ１〜ｆｂ８をデータｄの伝送のため割当得る。図５の図示の例では、通信接続チャネルＶ１，Ｖ２には、各１つの完全な無線ブロックｆｂ１ないしｆｂが割当られており、一方、無線通信システムＶ３のデータｄは、時間フレームｔｆ内で２つの無線ブロックｆｂ３，ｆｂ４にて伝送され得る。
【００４８】
図６は、次のコンフィギュレーション構成手法を示す。ここで無線ブロックｆｂ１〜ｆｂ８は、通信接続チャネルＶ１，Ｖ２，Ｖ３のうちのそれぞれたんに１つに固定的に割り当てられるのではなく、１つの無線ブロックｆｂ１〜ｆｂ８にて複数の通信接続チャネルＶ１，Ｖ２，Ｖ３のデータｄが各１つの時間フレームｔｆにて伝送される。図から明らかなように、それぞれのデータレートも亦、即ち、通信接続チャネルＶ１，Ｖ２，Ｖ３に利用可能なデータｄの数も変化し得る。通信接続チャネルＶ２には例えば、通信接続チャネルＶ１，Ｖ３より高いデータレートが割り当てられる。その種の割当を、アップリンク、ダウンリンク方向に対して時間フレームｔｆ内で所要の伝送容量に相応して種々異ならせ得る。
【００４９】
通信接続チャネルＶ２上で、或１つの加入者により例えば、インターネットのアプローチを実施する場合、−ここではデータｄはデータパケット形態で伝送される−を実施する場合、概してダウンリンク区間上でベースステーションＢＳから無線ステーションＭＳにデータパケットの伝送のためのデータレートはアップリンク区間上におけるよりずっと高いデータレートが必要とされ、その結果、従って、当該の通信接続チャネルＶ２にはダウンリンク区間上では、アップリンク方向におけるよりずっと高いデータレートを割当てなければならない。これに対して、接続路コネクションオリエンテッド指向の通信接続チャネル、例えば、電話通話の場合における通話伝送の場合、ダウンリンク、アップリンク方向で同じデータレートが必要とされ、その結果時間フレームｔｆ内で１つの無線ブロックｆｂ内部での割当がダウンリンク、アップリンク方向伝送区間に対して直交的に行われ得る。
【００５０】
パケットデータ伝送の場合、また接続路コネクションオリエンテッド指向の通信接続チャネルの場合、本発明によれば、第１通信接続チャネルＶ１−これは例えば１つ又は複数の時間フレームｔｆ継続する−の伝送の際、他の通信接続チャネルＶ２，Ｖ３のデータｄをダイナミックに、単数、又は複数の完全に、又は部分的に空き状態になった無線ブロックｆｂ１〜ｆｂ8内で伝送し得る。
【００５１】
図７は、無線ブロックｆｂ１〜ｆｂ8への通信接続チャネルＶ２の割当の更なるコンフィギュレーションの手法を示す。この場合において、通信接続チャネルＶ２のデータｄが、１つの無線ブロックｆｂにおいてのみならず、複数の無線ブロックｆｂ３，ｆｂ４，ｆｂ７においても伝送される。ここで無線ブロックｆｂ３，ｆｂ４，ｆｂ７内での、通信接続チャネルＶ２に所属するデータｄの配置構成を種々の個所でフレキシブルに、且つ種々の容量で行い得る。
【図面の簡単な説明】
【図１】  図１は無線通信システム、例えば移動無線システムのブロック接続図である。
【図２】    図２は、受信経路に対して実現されたコンポーネントを有する１つの無線ステーションのブロック接続図である。
【図３】  図３は、不連続トランスバーサルフィルタのブロック接続図である。
【図４】  図４は、時分割多重方式の構造の概略図である。
【図５】  図５は、本発明による時分割多重方式のフレーム構造の概略図である。
【図６】  図６は、本発明のフレーム構造の概略図である。
【図７】  図７は、本発明のフレーム構造の概略図である。
【符号の説明】
ＡＥ      アンテナ装置
ＢＳ      ベースステーション
ｄ        データ
ＤＴ      検出器
ＥＥ      受信装置
ＩＭ      トレーニングシーケンスの挿入手段
ｆｂ      無線ブロック
ｈ        チャネル係数
Ｋ        相関係数
ＭＳＣ    移動交換機
ＭＳ      移動ステーション
ＮＥ      追従ユニット
ｒｘ      受信信号
ｓ        シンボル
ＳＥ      送信装置
ＰＳＴＮ  固定ネットワーク
ＳＴ      制御装置
Ｚ        アンテナデータ
ＢＳＣ    ベースステーション制御部
ＫＳ      チャネル推定器
【図１】
0004454849.tif 000002
【図２】
0004454849.tif 000003
【図３】
0004454849.tif 000004
【図４】
0004454849.tif 000005
【図５】
0004454849.tif 000006
【図６】
0004454849.tif 000007
【図７】
0004454849.tif 000008